(57)【特許請求の範囲】
【請求項１】
紙管切断機を含み、
前記紙管切断機の中の左側には前後方向に貫通し、かつ上方に開口した紙管切断空間が設置され、前記紙管切断空間の左壁にはカバー軸が回転可能に設置され、前記カバー軸の外面の左端には環状の定位板が固定的に設置され、
前記紙管切断空間の右壁において前記カバー軸の右側の真正面からの向かいには紙管プッシュ空間が連通するように設置され、前記紙管プッシュ空間の中には紙管プッシュ装置が設置され、前記紙管プッシュ装置の中には前記紙管プッシュ空間の内部に位置する右プッシュ板が設置され、前記紙管プッシュ空間の下側には紙管送り込み装置が設置され、前記紙管送り込み装置の中には前記紙管プッシュ空間の下壁に連通する紙管送り込み空間が設置され、前記紙管送り込み空間の中には紙管送り込み板が上下スライド可能に設置され、
前記紙管送り込み空間は細長い帯状の紙管を上方へ前記紙管プッシュ空間の中に輸送した時、前記紙管プッシュ装置は前記右プッシュ板を駆動して左方に移動させ、紙管の左端を前記定位板の右端面と当接させるまで紙管を左方へ前記紙管切断空間の中に送って前記カバー軸の外面に被せ、
前記カバー軸の右後方には切断装置が設置され、前記切断装置の中には前記カバー軸の後側に位置する翻転ロッドが設置され、前記翻転ロッドが左右対称となるように設置され、前記翻転ロッドにおいて相対した側の端面の上端の間には回転軸が回転可能に設置され、
前記回転軸の外面にはカッターが左右均等に配列されるようにかつ固定的に設置され、前記回転軸が前記カバー軸に伝動可能に連結され、前記カバー軸が回転することで前記カッターを駆動して回転させる時、前記翻転ロッドの上端が前方に翻転し、前記カッターによって細長い帯状の紙管を複数の同じサイズの紙管に切断し、
前記紙管切断空間の下側には紙管落とし装置が設置され、前記紙管落とし装置の右側には前記紙管切断空間の下壁に連通する落とし口が設置され、前記落とし口が前方に開口し、前記紙管落とし装置の中には左プッシュ板が設置され、切断完了後、前記左プッシュ板が紙管を右方に押し動かし、紙管は一つずつ前記カバー軸から前記落とし口の中に落ち、そして前方に転がって収集されることを特徴とする紙管を自動的に送り込める粘着テープの紙管切断機。
【請求項２】
前記紙管プッシュ装置は前記紙管プッシュ空間の上側に連通する平行移動空間を含み、前記平行移動空間の左右壁の間には右平行移動スクリューが回転可能に設置され、前記平行移動空間の中には前記右平行移動スクリューにネジ山により連結された平行移動板が左右スライド可能に設置され、前記平行移動板の下端が前記紙管プッシュ空間の中に伸び、前記平行移動板の下端の中にはローラー軸が左右方向に貫通するようにかつ回転可能に設置され、前記右プッシュ板が前記ローラー軸の左端に固定的に設置されていることを特徴とする請求項１に記載の紙管を自動的に送り込める粘着テープの紙管切断機。
【請求項３】
前記紙管送り込み装置は前記紙管送り込み空間の右壁に連通するように設置された昇降空間を含み、前記昇降空間の下壁の中には昇降モーターが固定的に設置され、前記昇降モーターの上端には昇降スクリューが伝動可能に連結され、前記昇降空間の中には前記昇降スクリューにネジ山により連結された昇降ブロックが上下スライド可能に設置され、前記昇降ブロックの左端が前記紙管送り込み板の右端面に固定的に連結されていることを特徴とする請求項１に記載の紙管を自動的に送り込める粘着テープの紙管切断機。
【請求項４】
前記紙管送り込み空間の前側には通路が連通するように設置され、前記通路の上側には上方に開口した貯蔵空間が連通するように設置され、前記貯蔵空間は長細い帯状の紙管を貯蔵するために使用され、前記通路の下壁には止め板空間が連通するように設置され、前記止め板空間の中には止め板が上下スライド可能に設置され、前記止め板の下端と前記止め板空間の下壁との間にはバネが固定的に連結され、前記紙管送り込み空間と前記止め板空間とが押し空間により連通され、前記押し空間の中には前記止め板の後端面に固定的に連結された押しブロックが設置され、前記押しブロックの上端と前記紙管送り込み板の下端面の前端とが当接することを特徴とする請求項３に記載の紙管を自動的に送り込める粘着テープの紙管切断機。
【請求項５】
前記切断装置は前記紙管切断空間内部の後側に左右対称となるように設置された前記翻転ロッドを含み、前記翻転ロッドにおいて前記回転軸から離れた側の端面の下端には翻転軸が固定的に設置され、左右両側の前記翻転軸において前記翻転ロッドから離れた一端がそれぞれ前記紙管切断空間の左右両壁に回転可能に連結され、前記紙管切断空間の右壁内部の後端には翻転モーターが固定的に設置され、右側の前記翻転軸が前記翻転モーターの左端に伝動可能に連結されていることを特徴とする請求項１に記載の紙管を自動的に送り込める粘着テープの紙管切断機。
【請求項６】
左側の前記翻転ロッドの中には鎖歯車空間が設置され、前記回転軸の左端が前記鎖歯車空間の中に伸び、前記回転軸の左端には従動鎖歯車が固定的に設置され、前記鎖歯車空間の中において前記翻転ロッドとの同じ軸心部には主動鎖歯車が回転可能に設置され、前記従動鎖歯車と前記主動鎖歯車との間にはチェーンが巻き付くように設置され、前記主動鎖歯車の軸心には伝動軸が固定的に設置されていることを特徴とする請求項１に記載の紙管を自動的に送り込める粘着テープの紙管切断機。
【請求項７】
前記紙管切断空間の左壁の中にはプーリ空間が設置され、前記カバー軸の左端が前記プーリ空間の中に伸び、前記カバー軸の左端には主動プーリが固定的に設置され、前記伝動軸の左端が左側の前記翻転軸を貫通して前記プーリ空間の中に伸び、前記伝動軸の左端には従動プーリが固定的に設置され、前記従動プーリと前記主動プーリとの間には伝動ベルトが巻き付くように設置され、前記プーリ空間の左壁の中には回転モーターが固定的に設置され、前記主動プーリが前記回転モーターの右端に伝動可能に連結されていることを特徴とする請求項１に記載の紙管を自動的に送り込める粘着テープの紙管切断機。
【請求項８】
前記紙管落とし装置は前記紙管切断空間の下壁に連通するように設置された左プッシュ空間を含み、前記左プッシュ空間の左右壁の間には左プッシュスクリューが回転可能に設置され、前記左プッシュ板の下端が前記左プッシュ空間の中にスライド可能に設置され、かつ前記左プッシュスクリューにネジ山により連結されていることを特徴とする請求項２に記載の紙管を自動的に送り込める粘着テープの紙管切断機。
【請求項９】
前記左プッシュ空間の左側には伝動空間が設置され、前記左プッシュスクリューの左端が前記伝動空間の中に伸び、前記左プッシュスクリューの左端には動力プーリが固定的に設置され、前記伝動空間の左壁の中にはプッシュモーターが固定的に設置され、前記動力プーリが前記プッシュモーターの右端に伝動可能に連結され、前記動力プーリの後側には伝動プーリが回転可能に設置され、前記伝動プーリと前記動力プーリとの間には動力ベルトが巻き付くように設置され、前記伝動プーリの軸心には同期軸が固定的に設置され、
前記平行移動空間の右側には同期空間が設置され、前記同期軸の右端が前記同期空間の中に伸び、前記同期軸の右端には下タイミングプーリが固定的に設置され、前記右平行移動スクリューの右端が前記同期空間の中に伸び、前記右平行移動スクリューの右端には上タイミングプーリが固定的に設置され、前記下タイミングプーリと前記上タイミングプーリとの間にはタイミングベルトが巻き付くように設置されていることを特徴とする請求項８に記載の紙管を自動的に送り込める粘着テープの紙管切断機。
【発明の詳細な説明】
【技術分野】
【０００１】
本願発明は粘着テープ製造技術分野に関し、具体的には紙管を自動的に送り込める粘着テープの紙管切断機である。
【背景技術】
【０００２】
粘着テープを製造する過程において、紙管切断機によって粘着テープを巻くための紙管を細長い帯状から同じサイズの短い帯状に切断する必要があり、今の粘着テープの紙管切断機は手動で紙管を紙管切断機の中心回転軸に被せ、切断過程にも手で紙管を固定する方式を利用し、その故、大量の作業員が必要であり、また、紙管の高速回転過程に手で固定すると、紙管の位置がずれるので欠陥品を生み出すだけでなく、高速回転で紙管が手又は手袋と摩擦して熱が出るために作業員の手に火傷をする恐れがあり、危ないである。本願発明は上記の問題を解決できる。
【先行技術文献】
【特許文献】
【０００３】
【特許文献１】中国特許出願公開第１０５０１７９８１号明細書
【発明の概要】
【発明が解決しようとする課題】
【０００４】
技術問題：
従来の紙管切断機は手動で紙管を送り込んで固定する必要があり、紙管の位置がずれることで欠陥品を生み出すだけでなく、摩擦で熱が出るために作業員に火傷をする恐れがある。
【課題を解決するための手段】
【０００５】
上記の問題を解決するため、紙管を自動的に送り込める粘着テープの紙管切断機を設計し、本願発明に記載された紙管を自動的に送り込める粘着テープの紙管切断機は、紙管切断機を含み、前記紙管切断機の中の左側には前後方向に貫通し、かつ上方に開口した紙管切断空間が設置され、前記紙管切断空間の左壁にはカバー軸が回転可能に設置され、前記カバー軸の外面の左端には環状の定位板が固定的に設置され、前記紙管切断空間の右壁において前記カバー軸の右側の真正面からの向かいには紙管プッシュ空間が連通するように設置され、前記紙管プッシュ空間の中には紙管プッシュ装置が設置され、前記紙管プッシュ装置の中には前記紙管プッシュ空間の内部に位置する右プッシュ板が設置され、前記紙管プッシュ空間の下側には紙管送り込み装置が設置され、前記紙管送り込み装置の中には前記紙管プッシュ空間の下壁に連通する紙管送り込み空間が設置され、前記紙管送り込み空間の中には紙管送り込み板が上下スライド可能に設置され、前記紙管送り込み空間は細長い帯状の紙管を上方へ前記紙管プッシュ空間の中に輸送した時、前記紙管プッシュ装置は前記右プッシュ板を駆動して左方に移動させ、紙管の左端を前記定位板の右端面と当接させるまで紙管を左方へ前記紙管切断空間の中に送って前記カバー軸の外面に被せ、前記カバー軸の右後方には切断装置が設置され、前記切断装置の中には前記カバー軸の後側に位置する翻転ロッドが設置され、前記翻転ロッドが左右対称となるように設置され、前記翻転ロッドにおいて相対した側の端面の上端の間には回転軸が回転可能に設置され、前記回転軸の外面にはカッターが左右均等に配列されるようにかつ固定的に設置され、前記回転軸が前記カバー軸に伝動可能に連結され、前記カバー軸が回転することで前記カッターを駆動して回転させる時、前記翻転ロッドの上端が前方に翻転し、前記カッターによって細長い帯状の紙管を複数の同じサイズの紙管に切断し、前記紙管切断空間の下側には紙管落とし装置が設置され、前記紙管落とし装置の右側には前記紙管切断空間の下壁に連通する落とし口が設置され、前記落とし口が前方に開口し、前記紙管落とし装置の中には左プッシュ板が設置され、切断完了後、前記左プッシュ板が紙管を右方に押し動かし、紙管は一つずつ前記カバー軸から前記落とし口の中に落ち、そして前方に転がって収集される。
【０００６】
前記紙管プッシュ装置は前記紙管プッシュ空間の上側に連通する平行移動空間を含み、前記平行移動空間の左右壁の間には右平行移動スクリューが回転可能に設置され、前記平行移動空間の中には前記右平行移動スクリューにネジ山により連結された平行移動板が左右スライド可能に設置され、前記平行移動板の下端が前記紙管プッシュ空間の中に伸び、前記平行移動板の下端の中にはローラー軸が左右方向に貫通するようにかつ回転可能に設置され、前記右プッシュ板が前記ローラー軸の左端に固定的に設置されている。
【０００７】
前記紙管送り込み装置は前記紙管送り込み空間の右壁に連通するように設置された昇降空間を含み、前記昇降空間の下壁の中には昇降モーターが固定的に設置され、前記昇降モーターの上端には昇降スクリューが伝動可能に連結され、前記昇降空間の中には前記昇降スクリューにネジ山により連結された昇降ブロックが上下スライド可能に設置され、前記昇降ブロックの左端が前記紙管送り込み板の右端面に固定的に連結されている。
【０００８】
有益なように、前記紙管送り込み空間の前側には通路が連通するように設置され、前記通路の上側には上方に開口した貯蔵空間が連通するように設置され、前記貯蔵空間は長細い帯状の紙管を貯蔵するために使用され、前記通路の下壁には止め板空間が連通するように設置され、前記止め板空間の中には止め板が上下スライド可能に設置され、前記止め板の下端と前記止め板空間の下壁との間にはバネが固定的に連結され、前記紙管送り込み空間と前記止め板空間とが押し空間により連通され、前記押し空間の中には前記止め板の後端面に固定的に連結された押しブロックが設置され、前記押しブロックの上端と前記紙管送り込み板の下端面の前端とが当接する。
【０００９】
前記切断装置は前記紙管切断空間内部の後側に左右対称となるように設置された前記翻転ロッドを含み、前記翻転ロッドにおいて前記回転軸から離れた側の端面の下端には翻転軸が固定的に設置され、左右両側の前記翻転軸において前記翻転ロッドから離れた一端がそれぞれ前記紙管切断空間の左右両壁に回転可能に連結され、前記紙管切断空間の右壁内部の後端には翻転モーターが固定的に設置され、右側の前記翻転軸が前記翻転モーターの左端に伝動可能に連結されている。
【００１０】
有益なように、左側の前記翻転ロッドの中には鎖歯車空間が設置され、前記回転軸の左端が前記鎖歯車空間の中に伸び、前記回転軸の左端には従動鎖歯車が固定的に設置され、前記鎖歯車空間の中において前記翻転ロッドとの同じ軸心部には主動鎖歯車が回転可能に設置され、前記従動鎖歯車と前記主動鎖歯車との間にはチェーンが巻き付くように設置され、前記主動鎖歯車の軸心には伝動軸が固定的に設置されている。
【００１１】
有益なように、前記紙管切断空間の左壁の中にはプーリ空間が設置され、前記カバー軸の左端が前記プーリ空間の中に伸び、前記カバー軸の左端には主動プーリが固定的に設置され、前記伝動軸の左端が左側の前記翻転軸を貫通して前記プーリ空間の中に伸び、前記伝動軸の左端には従動プーリが固定的に設置され、前記従動プーリと前記主動プーリとの間には伝動ベルトが巻き付くように設置され、前記プーリ空間の左壁の中には回転モーターが固定的に設置され、前記主動プーリが前記回転モーターの右端に伝動可能に連結されている。
【００１２】
前記紙管落とし装置は前記紙管切断空間の下壁に連通するように設置された左プッシュ空間を含み、前記左プッシュ空間の左右壁の間には左プッシュスクリューが回転可能に設置され、前記左プッシュ板の下端が前記左プッシュ空間の中にスライド可能に設置され、かつ前記左プッシュスクリューにネジ山により連結されている。
【００１３】
有益なように、前記左プッシュ空間の左側には伝動空間が設置され、前記左プッシュスクリューの左端が前記伝動空間の中に伸び、前記左プッシュスクリューの左端には動力プーリが固定的に設置され、前記伝動空間の左壁の中にはプッシュモーターが固定的に設置され、前記動力プーリが前記プッシュモーターの右端に伝動可能に連結され、前記動力プーリの後側には伝動プーリが回転可能に設置され、前記伝動プーリと前記動力プーリとの間には動力ベルトが巻き付くように設置され、前記伝動プーリの軸心には同期軸が固定的に設置され、前記平行移動空間の右側には同期空間が設置され、前記同期軸の右端が前記同期空間の中に伸び、前記同期軸の右端には下タイミングプーリが固定的に設置され、前記右平行移動スクリューの右端が前記同期空間の中に伸び、前記右平行移動スクリューの右端には上タイミングプーリが固定的に設置され、前記下タイミングプーリと前記上タイミングプーリとの間にはタイミングベルトが巻き付くように設置されている。
【発明の効果】
【００１４】
本願発明の有益な効果は：本願発明は細長い帯状の紙管を自動的に送り込み、紙管の両端をきつく挟んだ後、同じサイズの粘着テープを巻くための紙管に切断し、この過程には手動で細長い帯状の紙管を添加する必要がなく、手で紙管を固定することも不要であり、省力で作業効率を向上させ、より安全である。
【図面の簡単な説明】
【００１５】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１６】
【図１】図１は本願発明の紙管を自動的に送り込める粘着テープの紙管切断機の全体構成概略図
【図２】図２は図１におけるＡ―Ａ方向の構成概略図
【図３】図３は図１におけるＢ―Ｂ方向の構成概略図
【図４】図４は図１におけるＣ―Ｃ方向の構成概略図
【図５】図５は図１におけるＤ―Ｄ方向の構成概略図
【発明を実施するための形態】
【００１７】
本願発明は紙管を自動的に送り込める粘着テープの紙管切断機に関し、主に粘着テープ製造時に紙管を切断することに使用され、以下、本願発明図面を参照してさらなる説明をする。
【００１８】
本願発明に記載された紙管を自動的に送り込める粘着テープの紙管切断機は、紙管切断機１１を含み、前記紙管切断機１１の中の左側には前後方向に貫通し、かつ上方に開口した紙管切断空間１２が設置され、前記紙管切断空間１２の左壁にはカバー軸１３が回転可能に設置され、前記カバー軸１３の外面の左端には環状の定位板１４が固定的に設置され、前記紙管切断空間１２の右壁において前記カバー軸１３の右側の真正面からの向かいには紙管プッシュ空間１５が連通するように設置され、前記紙管プッシュ空間１５の中には紙管プッシュ装置１０１が設置され、前記紙管プッシュ装置１０１の中には前記紙管プッシュ空間１５の内部に位置する右プッシュ板１６が設置され、前記紙管プッシュ空間１５の下側には紙管送り込み装置１０２が設置され、前記紙管送り込み装置１０２の中には前記紙管プッシュ空間１５の下壁に連通する紙管送り込み空間１７が設置され、前記紙管送り込み空間１７の中には紙管送り込み板１８が上下スライド可能に設置され、前記紙管送り込み空間１７は細長い帯状の紙管を上方へ前記紙管プッシュ空間１５の中に輸送した時、前記紙管プッシュ装置１０１は前記右プッシュ板１６を駆動して左方に移動させ、紙管の左端を前記定位板１４の右端面と当接させるまで紙管を左方へ前記紙管切断空間１２の中に送って前記カバー軸１３の外面に被せ、前記カバー軸１３の右後方には切断装置１０３が設置され、前記切断装置１０３の中には前記カバー軸１３の後側に位置する翻転ロッド１９が設置され、前記翻転ロッド１９が左右対称となるように設置され、前記翻転ロッド１９において相対した側の端面の上端の間には回転軸２０が回転可能に設置され、前記回転軸２０の外面にはカッター２１が左右均等に配列されるようにかつ固定的に設置され、前記回転軸２０が前記カバー軸１３に伝動可能に連結され、前記カバー軸１３が回転することで前記カッター２１を駆動して回転させる時、前記翻転ロッド１９の上端が前方に翻転し、前記カッター２１によって細長い帯状の紙管を複数の同じサイズの紙管に切断し、前記紙管切断空間１２の下側には紙管落とし装置１０４が設置され、前記紙管落とし装置１０４の右側には前記紙管切断空間１２の下壁に連通する落とし口２３が設置され、前記落とし口２３が前方に開口し、前記紙管落とし装置１０４の中には左プッシュ板２２が設置され、切断完了後、前記左プッシュ板２２が紙管を右方に押し動かし、紙管は一つずつ前記カバー軸１３から前記落とし口２３の中に落ち、そして前方に転がって収集される。
【００１９】
前記紙管プッシュ装置１０１は前記紙管プッシュ空間１５の上側に連通する平行移動空間２４を含み、前記平行移動空間２４の左右壁の間には右平行移動スクリュー２５が回転可能に設置され、前記平行移動空間２４の中には前記右平行移動スクリュー２５にネジ山により連結された平行移動板２６が左右スライド可能に設置され、前記平行移動板２６の下端が前記紙管プッシュ空間１５の中に伸び、前記平行移動板２６の下端の中にはローラー軸２７が左右方向に貫通するようにかつ回転可能に設置され、前記右プッシュ板１６が前記ローラー軸２７の左端に固定的に設置されている。
【００２０】
前記紙管送り込み装置１０２は前記紙管送り込み空間１７の右壁に連通するように設置された昇降空間２８を含み、前記昇降空間２８の下壁の中には昇降モーター２９が固定的に設置され、前記昇降モーター２９の上端には昇降スクリュー３０が伝動可能に連結され、前記昇降空間２８の中には前記昇降スクリュー３０にネジ山により連結された昇降ブロック３１が上下スライド可能に設置され、前記昇降ブロック３１の左端が前記紙管送り込み板１８の右端面に固定的に連結されている。
【００２１】
有益なように、前記紙管送り込み空間１７の前側には通路３２が連通するように設置され、前記通路３２の上側には上方に開口した貯蔵空間３３が連通するように設置され、前記貯蔵空間３３は長細い帯状の紙管を貯蔵するために使用され、前記通路３２の下壁には止め板空間３４が連通するように設置され、前記止め板空間３４の中には止め板３５が上下スライド可能に設置され、前記止め板３５の下端と前記止め板空間３４の下壁との間にはバネ３６が固定的に連結され、前記紙管送り込み空間１７と前記止め板空間３４とが押し空間３７により連通され、前記押し空間３７の中には前記止め板３５の後端面に固定的に連結された押しブロック３８が設置され、前記押しブロック３８の上端と前記紙管送り込み板１８の下端面の前端とが当接する。
【００２２】
前記切断装置１０３は前記紙管切断空間１２内部の後側に左右対称となるように設置された前記翻転ロッド１９を含み、前記翻転ロッド１９において前記回転軸２０から離れた側の端面の下端には翻転軸３９が固定的に設置され、左右両側の前記翻転軸３９において前記翻転ロッド１９から離れた一端がそれぞれ前記紙管切断空間１２の左右両壁に回転可能に連結され、前記紙管切断空間１２の右壁内部の後端には翻転モーター４０が固定的に設置され、右側の前記翻転軸３９が前記翻転モーター４０の左端に伝動可能に連結されている。
【００２３】
有益なように、左側の前記翻転ロッド１９の中には鎖歯車空間４１が設置され、前記回転軸２０の左端が前記鎖歯車空間４１の中に伸び、前記回転軸２０の左端には従動鎖歯車４２が固定的に設置され、前記鎖歯車空間４１の中において前記翻転ロッド１９との同じ軸心部には主動鎖歯車４３が回転可能に設置され、前記従動鎖歯車４２と前記主動鎖歯車４３との間にはチェーン４４が巻き付くように設置され、前記主動鎖歯車４３の軸心には伝動軸４５が固定的に設置されている。
【００２４】
有益なように、前記紙管切断空間１２の左壁の中にはプーリ空間４６が設置され、前記カバー軸１３の左端が前記プーリ空間４６の中に伸び、前記カバー軸１３の左端には主動プーリ４９が固定的に設置され、前記伝動軸４５の左端が左側の前記翻転軸３９を貫通して前記プーリ空間４６の中に伸び、前記伝動軸４５の左端には従動プーリ４７が固定的に設置され、前記従動プーリ４７と前記主動プーリ４９との間には伝動ベルト５０が巻き付くように設置され、前記プーリ空間４６の左壁の中には回転モーター５１が固定的に設置され、前記主動プーリ４９が前記回転モーター５１の右端に伝動可能に連結されている。
【００２５】
前記紙管落とし装置１０４は前記紙管切断空間１２の下壁に連通するように設置された左プッシュ空間５２を含み、前記左プッシュ空間５２の左右壁の間には左プッシュスクリュー５３が回転可能に設置され、前記左プッシュ板２２の下端が前記左プッシュ空間５２の中にスライド可能に設置され、かつ前記左プッシュスクリュー５３にネジ山により連結されている。
【００２６】
有益なように、前記左プッシュ空間５２の左側には伝動空間５４が設置され、前記左プッシュスクリュー５３の左端が前記伝動空間５４の中に伸び、前記左プッシュスクリュー５３の左端には動力プーリ５５が固定的に設置され、前記伝動空間５４の左壁の中にはプッシュモーター６３が固定的に設置され、前記動力プーリ５５が前記プッシュモーター６３の右端に伝動可能に連結され、前記動力プーリ５５の後側には伝動プーリ５６が回転可能に設置され、前記伝動プーリ５６と前記動力プーリ５５との間には動力ベルト５７が巻き付くように設置され、前記伝動プーリ５６の軸心には同期軸５８が固定的に設置され、前記平行移動空間２４の右側には同期空間５９が設置され、前記同期軸５８の右端が前記同期空間５９の中に伸び、前記同期軸５８の右端には下タイミングプーリ６０が固定的に設置され、前記右平行移動スクリュー２５の右端が前記同期空間５９の中に伸び、前記右平行移動スクリュー２５の右端には上タイミングプーリ６１が固定的に設置され、前記下タイミングプーリ６０と前記上タイミングプーリ６１との間にはタイミングベルト６２が巻き付くように設置されている。
【００２７】
以下、図１〜５を参照して本願発明の使用手順について詳しく説明する。
【００２８】
初めに、左プッシュ板２２が右限界位置にあり、右プッシュ板１６が右限界位置にあり、紙管送り込み板１８が下限界位置にあり、止め板３５が止め板空間３４に収められ、通路３２と紙管送り込み空間１７とを連通させ、貯蔵空間３３に貯蔵された細長い帯状の紙管は一つずつ通路３２の中に落ち、その中の一本の紙管は紙管送り込み空間１７の中に入って紙管送り込み板１８の上端面に置かれる。
【００２９】
紙管を送り込む時、昇降モーター２９が作動することで昇降スクリュー３０を駆動して回転させ、ネジ山による連結で昇降ブロック３１と紙管送り込み板１８が駆動されて上昇し、紙管は駆動されて紙管プッシュ空間１５の中に上昇し、この時、プッシュモーター６３が作動して動力プーリ５５を駆動して回転させ、動力ベルト５７により伝動プーリ５６が駆動されて回転し、同期軸５８により下タイミングプーリ６０が駆動されて回転し、タイミングベルト６２により上タイミングプーリ６１と右平行移動スクリュー２５が駆動されて回転し、そしてネジ山による連結で平行移動板２６が駆動されて左方に移動し、ローラー軸２７により右プッシュ板１６が駆動されて左方に移動し、右プッシュ板１６の左端面が紙管の右端と当接した後、紙管の左端が前記定位板１４の右端面と当接するまで紙管を押し動かして左方に移動させてカバー軸１３の外面に被せ、そして定位板１４と右プッシュ板１６により紙管をきつく挟み、切断時に紙管の位置がずれることを避け、この過程に、動力プーリ５５が左プッシュスクリュー５３を駆動して回転させ、ネジ山による連結で左プッシュ板２２が駆動されて左方に移動する。
【００３０】
切断する時、回転モーター５１が作動して主動プーリ４９とカバー軸１３を駆動して回転させ、カバー軸１３が紙管を駆動して回転させ、右プッシュ板１６が紙管とともに同期に回転し、それと同時に主動プーリ４９が伝動ベルト５０により従動プーリ４７を駆動して回転させ、伝動軸４５により主動鎖歯車４３を駆動して回転させ、チェーン４４により従動鎖歯車４２を駆動して回転させ、そして回転軸２０とカッター２１との高速回転を駆動し、この時、翻転モーター４０が作動し、右側の翻転軸３９により右側の翻転ロッド１９の上端を駆動して前方に翻転させ、左側の翻転ロッド１９の同期翻転で、カッター２１が駆動されて前方に翻転して紙管を切断し、切断完了後、翻転モーター４０が逆方向に回転してカッター２１を駆動して復帰させ、この時、回転モーター５１が回転を停止し、プッシュモーター６３が逆方向に回転し、左プッシュ板２２と平行移動板２６を駆動して同期に右方に移動させ、平行移動板２６が右方に移動して紙管プッシュ空間１５の中に戻り、左プッシュ板２２が右方に移動する時に紙管を右方に押し動かし、紙管はカバー軸１３から一つずつ落とし口２３の中に落ち、かつ前方に転がって収集される。
【００３１】
本願発明の有益な効果は：本願発明は細長い帯状の紙管を自動的に送り込み、紙管の両端をきつく挟んだ後、同じサイズの粘着テープを巻くための紙管に切断し、この過程には手動で細長い帯状の紙管を添加する必要がなく、手で紙管を固定することも不要であり、省力で作業効率を向上させ、より安全である。
【００３２】
上記の方式によって、当業者は本発明の範囲内で作業状況に基づいて様々な改変を加えられる。
【図１】
0006859526.tif 000002
【図２】
0006859526.tif 000003
【図３】
0006859526.tif 000004
【図４】
0006859526.tif 000005
【図５】
0006859526.tif 000006